(57)【特許請求の範囲】
【請求項１】
構成更新失敗の処理方法であって、時間の閾値を設定し、前記方法は、
構成情報が更新された後に、移動管理エンティティ又は隣接する進化型基地局に進化型基地局構成更新メッセージを送信するステップと、
前記移動管理エンティティ又は隣接する進化型基地局によって送信された、待ち時間情報要素を含む進化型基地局構成更新失敗メッセージを受信するステップと、
前記受信した進化型基地局構成更新失敗メッセージにおける待ち時間情報要素によって指定された時間の長さを蓄積するステップと、
受信した進化型基地局構成更新失敗メッセージにおける待ち時間情報要素によって指定された時間の長さの蓄積値が、設定した時間の閾値を超えたかどうかを比較するステップと、
比較において、受信した進化型基地局構成更新失敗メッセージにおける待ち時間情報要素によって指定された時間の長さの蓄積値が設定した時間の閾値を超えた場合に、前記進化型基地局構成更新メッセージの送信を中止するステップと
を含むことを特徴とする構成更新失敗の処理方法。
【請求項２】
前記方法は、
前記待ち時間情報要素によって指定された時間の長さにおいて前記構成情報が更新されたかどうかを判断するステップと、
前記構成情報が更新された場合に、時間の長さの初期値をリセットするステップと
を更に含むことを特徴とする請求項１に記載の構成更新失敗の処理方法。
【請求項３】
構成更新失敗の処理方法であって、時間の閾値を設定し、前記方法は、
構成情報が更新された後に、進化型基地局に移動管理エンティティ構成更新メッセージを送信するステップと、
前記進化型基地局によって送信された、待ち時間情報要素を含む移動管理エンティティ構成更新失敗メッセージを受信するステップと、
前記受信した移動管理エンティティ構成更新失敗メッセージにおける待ち時間情報要素によって指定された時間の長さを蓄積するステップと、
受信した移動管理エンティティ構成更新失敗メッセージにおける待ち時間情報要素によって指定された時間の長さの蓄積値が、設定した時間の閾値を超えたかどうかを比較するステップと、
比較において、受信した移動管理エンティティ構成更新失敗メッセージにおける待ち時間情報要素によって指定された時間の長さの蓄積値が設定した時間の閾値を超えた場合に、前記移動管理エンティティ構成更新メッセージの送信を中止するステップと
を含むことを特徴とする構成更新失敗の処理方法。
【請求項４】
前記方法は、
前記受信した進化型基地局によって送信された待ち時間情報要素によって指定された時間の長さにおいて前記構成情報が更新されたかどうかを判断するステップと、
前記構成情報が更新された場合に、蓄積した時間の長さの初期値をリセットするステップと
を更に含むことを特徴とする請求項３に記載の構成更新失敗の処理方法。
【請求項５】
構成更新失敗の処理装置であって、
前記装置は、第１送信モジュールと、第１受信モジュールと、第１計数モジュールと、第１閾値設定モジュールと、第１比較モジュールと、第１通知モジュールとを含み、
前記第１閾値設定モジュールは、時間の閾値を設定することに用いられ、
前記第１送信モジュールは、前記第１受信モジュールに接続され、構成情報が更新された後に移動管理エンティティ又は隣接する進化型基地局に進化型基地局構成更新メッセージを送信することに用いられ、
前記第１受信モジュールは、前記移動管理エンティティ又は隣接する進化型基地局によって送信された、待ち時間情報要素を含む進化型基地局構成更新失敗メッセージを受信することに用いられ、
前記第１計数モジュールは、前記第１受信モジュールに接続され、前記第１受信モジュールによって受信された進化型基地局構成更新失敗メッセージにおける待ち時間情報要素によって指定された時間の長さを蓄積することに用いられ、
前記第１比較モジュールは、前記第１計数モジュールと前記第１閾値設定モジュールに接続され、前記待ち時間情報要素によって指定された時間の長さの蓄積値が、前記第１閾値設定モジュールによって設定された時間の閾値を超えたかどうかを比較することに用いられ、
前記第１通知モジュールは、前記第１比較モジュールに接続され、前記第１比較モジュールが、前記待ち時間情報要素によって指定された時間の長さの蓄積値が前記第１閾値設定モジュールによって設定された時間の閾値を超えたと判断した場合に、前記第１送信モジュールに前記進化型基地局構成更新メッセージの送信を中止することを通知することに用いられる
ことを特徴とする構成更新失敗の処理装置。
【請求項６】
前記装置は、第１判断モジュールと第１リセットモジュールとを更に含み、
前記第１判断モジュールは、前記第１受信モジュールに接続され、前記待ち時間情報要素によって指定された時間の長さにおいて前記構成情報が更新されたかどうかを判断することに用いられ、
前記第１リセットモジュールは、前記第１判断モジュールに接続され、前記第１判断モジュールが前記構成情報が更新されたと判断した場合に、前記第１計数モジュールによって蓄積された時間の長さの初期値をリセットすることに用いられる
ことを特徴とする請求項５に記載の構成更新失敗の処理装置。
【請求項７】
構成更新失敗の処理装置であって、
前記装置は、第２送信モジュールと、第２受信モジュールと、第２計数モジュールと、第２閾値設定モジュールと、第２比較モジュールと、第２通知モジュールとを含み、
前記第２閾値設定モジュールは、時間の閾値を設定することに用いられ、
前記第２送信モジュールは、前記第２受信モジュールに接続され、構成情報が更新された後に進化型基地局に移動管理エンティティ構成更新メッセージを送信することに用いられ、
前記第２受信モジュールは、前記進化型基地局によって送信された、待ち時間情報要素を含む移動管理エンティティ構成更新失敗メッセージを受信することに用いられ、
前記第２計数モジュールは、前記第２受信モジュールに接続され、前記第２受信モジュールによって受信された移動管理エンティティ更新失敗メッセージにおける待ち時間情報要素によって指定された時間の長さを蓄積することに用いられ、
前記第２閾値設定モジュールは、移動管理エンティティ構成更新失敗メッセージの受信時間の閾値を設定することに用いられ、
前記第２比較モジュールは、前記第２計数モジュールと前記第２閾値設定モジュールに接続され、前記待ち時間情報要素によって指定された時間の長さの蓄積値が、前記第２閾値設定モジュールによって設定された時間の閾値を超えたかどうかを比較することに用いられ、
前記第２通知モジュールは、前記第２比較モジュールに接続され、前記第２比較モジュールが、前記待ち時間情報要素によって指定された時間の長さの蓄積値が前記第２閾値設定モジュールによって設定された時間の閾値を超えたと判断した場合に、前記第２送信モジュールに前記移動管理エンティティ構成更新メッセージの送信を中止することを通知することに用いられる
ことを特徴とする構成更新失敗の処理装置。
【請求項８】
前記装置は、第２判断モジュールと第２リセットモジュールとを更に含み、
前記第２判断モジュールは、前記第２受信モジュールに接続され、前記第２受信モジュールによって受信された、進化型基地局によって送信された待ち時間情報要素によって指定された時間の長さにおいて前記構成情報が更新されたかどうかを判断することに用いられ、
前記第２リセットモジュールは、前記第２判断モジュールに接続され、前記第２判断モジュールが前記構成情報が更新されたと判断した場合に、前記第２計数モジュールによって蓄積された時間の長さの初期値をリセットすることに用いられる
ことを特徴とする請求項７に記載の構成更新失敗の処理装置。
【請求項９】
構成更新失敗の処理システムであって、
前記装置は、設定モジュールと、第１構成更新失敗の処理装置と、前記第１構成更新失敗の処理装置に接続される第２構成更新失敗の処理装置とを含み、
前記設定モジュールは、時間の閾値を設定することに用いられ、
前記第１構成更新失敗の処理装置は、構成情報が更新された後に、前記第２構成更新失敗の処理装置に進化型基地局構成更新メッセージを送信し、前記第２構成更新失敗の処理装置によって送信された、待ち時間情報要素を含む進化型基地局構成更新失敗メッセージを受信し、受信した進化型基地局構成更新失敗メッセージにおける待ち時間情報要素によって指定された時間の長さを蓄積し、前記待ち時間情報要素によって指定された時間の長さの蓄積値が、設定した時間の閾値を超えたかどうかを比較し、超えた場合、前記進化型基地局構成更新メッセージの送信を中止することに用いられ、
前記第２構成更新失敗の処理装置は、前記第１構成更新失敗の処理装置によって送信された進化型基地局構成更新メッセージを受信した後に、更新失敗の場合に、前記第１構成更新失敗の処理装置に前記待ち時間情報要素を含む進化型基地局構成更新失敗メッセージを送信することに用いられる
ことを特徴とする構成更新失敗の処理システム。
【請求項１０】
構成更新失敗の処理システムであって、
前記装置は、設定モジュールと、第１構成更新失敗の処理装置と、前記第１構成更新失敗の処理装置に接続される第２構成更新失敗の処理装置とを含み、
前記設定モジュールは、時間の閾値を設定することに用いられ、
前記第１構成更新失敗の処理装置は、構成情報が更新された後に第２構成更新失敗の処理装置に移動管理エンティティ構成更新メッセージを送信し、前記第２構成更新失敗の処理装置によって送信された、待ち時間情報要素を含む移動管理エンティティ構成更新失敗メッセージを受信し、受信した移動管理エンティティ構成更新失敗メッセージにおける待ち時間情報要素によって指定された時間の長さを蓄積し、前記待ち時間情報要素によって指定された時間の長さの蓄積値が、設定した時間の閾値を超えたかどうかを比較し、超えた場合、前記移動管理エンティティ構成更新メッセージの送信を中止することに用いられ、
前記第２構成更新失敗の処理装置は、前記移動管理エンティティ構成更新メッセージを受信し、更新失敗の場合に、前記第１構成更新失敗の処理装置に前記待ち時間情報要素を含む移動管理エンティティ構成更新失敗メッセージを送信することに用いられる
ことを特徴とする構成更新失敗の処理システム。
【発明の詳細な説明】
【技術分野】
【０００１】
本発明は、通信分野に属し、特に、構成更新失敗の処理方法、処理装置及び処理システムに関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、ある進化型基地局（ｅＮＢ）と、このｅＮＢに隣接するネットワーク要素の移動管理エンティティ（ＭＭＥ：Ｍｏｂｉｌｉｔｙ  Ｍａｎａｇｅｍｅｎｔ  Ｅｎｔｉｔｙ）又はｅＮＢに隣接する他のｅＮＢとの間のＳ１セットアップ（Ｓ１  ＳＥＴＵＰ）やＸ２セットアップ（Ｘ２  ＳＥＴＵＰ）過程が成功した後に、ｅＮＢ側の関連構成情報が変わった場合に、ｅＮＢは、進化型基地局構成更新（ＥＮＢ  ＣＯＮＦＩＧＵＲＡＴＩＯＮ  ＵＰＤＡＴＥ）メッセージを介して、ＭＭＥ又は他の隣接するｅＮＢに関連構成情報の変更を通知する。ｅＮＢは、ＥＮＢ  ＣＯＮＦＩＧＵＲＡＴＩＯＮ  ＵＰＤＡＴＥメッセージを送信した後に、ＭＭＥや他の隣接するｅＮＢによって応答された、待ち時間情報要素（Ｔｉｍｅ  Ｔｏ  Ｗａｉｔ  ＩＥ）を含む進化型基地局構成更新失敗（ＥＮＢ  ＣＯＮＦＩＧＵＲＡＴＩＯＮ  ＵＰＤＡＴＥ  ＦＡＩＬＵＲＥ）メッセージを受信した場合、このとき、このｅＮＢは、少なくとも待ち時間情報要素によって指示された時間待った後に、自分自身の現在の構成が変わったかどうかに関わらず、ＥＮＢ  ＣＯＮＦＩＧＵＲＡＴＩＯＮ  ＵＰＤＡＴＥメッセージをＭＭＥ又は他の隣接するｅＮＢに再送信する必要がある。ＭＭＥ又は他の隣接するｅＮＢが、同様に待ち時間情報要素を含むＥＮＢ  ＣＯＮＦＩＧＵＲＡＴＩＯＮ  ＵＰＤＡＴＥ  ＦＡＩＬＵＲＥメッセージによって引き続き応答した場合、ｅＮＢは、同様に、少なくとも待ち時間情報要素によって指示された時間待った後に、このｅＮＢの現在の構成が変わったかどうかに関わらず、ＥＮＢ  ＣＯＮＦＩＧＵＲＡＴＩＯＮ  ＵＰＤＡＴＥ過程を再開する。即ち、ｅＮＢがＥＮＢ  ＣＯＮＦＩＧＵＲＡＴＩＯＮ  ＵＰＤＡＴＥメッセージを送信した後に、ＭＭＥ又は他の隣接するｅＮＢによって応答された、待ち時間情報要素を含むＥＮＢ  ＣＯＮＦＩＧＵＲＡＴＩＯＮ  ＵＰＤＡＴＥ  ＦＡＩＬＵＲＥメッセージを常時受信する場合、その間に、このｅＮＢの構成情報が変わっていないのにも関わらず、ｅＮＢが同じＥＮＢ  ＣＯＮＦＩＧＵＲＡＴＩＯＮ  ＵＰＤＡＴＥ過程を繰り返し開始してしまう問題が引き起こされ、これにより、システム負荷が大いに増加し、システムの頑強性と安定性が低下してしまう。
【０００３】
同様に、ＭＭＥ側の関連構成情報が変わって、この変更が移動管理エンティティ構成更新（ＭＭＥ  ＣＯＮＦＵＧＵＲＡＴＩＯＮ  ＵＰＤＡＴＥ）メッセージを介してｅＮＢに通知される場合に、ｅＮＢと同じ問題がある。即ち、ＭＭＥがＭＭＥ  ＣＯＮＦＵＧＵＲＡＴＩＯＮ  ＵＰＤＡＴＥメッセージを送信した後に、ｅＮＢによって応答された、待ち時間情報要素を含む移動管理エンティティ構成更新失敗（ＭＭＥ  ＣＯＮＦＵＧＵＲＡＴＩＯＮ  ＵＰＤＡＴＥ  ＦＡＩＬＵＲＥ）メッセージを常時受信する場合、その間に、ＭＭＥの構成情報が変わっていないのにも関わらず、ＭＭＥが同じＭＭＥ  ＣＯＮＦＩＧＵＲＡＴＩＯＮ  ＵＰＤＡＴＥ過程を繰り返して開始してしまう問題が引き起こされ、これにより、システム負荷が大いに増加し、システムの頑強性と安定性が低下してしまう。
【発明の概要】
【発明が解決しようとする課題】
【０００４】
本発明が解決しようとする課題は、システム負荷を低減してシステムの頑強性と安定性を向上させるために、構成更新失敗の処理方法、処理装置及び処理システムを提供することにある。
【課題を解決するための手段】
【０００５】
前記課題を解決するために、本発明は、構成更新失敗の処理方法、処理装置及び処理システムを提供する。その具体的な技術的なスキームは下記のように実現される。
【０００６】
本発明に係る構成更新失敗の処理方法は、進化型基地局構成更新失敗メッセージの受信回数の閾値を設定し、前記方法は、
構成情報が更新された後に、移動管理エンティティ又は隣接する進化型基地局に進化型基地局構成更新メッセージを送信するステップと、
前記移動管理エンティティ又は隣接する進化型基地局によって送信された、待ち時間情報要素を含む進化型基地局構成更新失敗メッセージを受信するステップと
前記進化型基地局構成更新失敗メッセージの受信回数を算出するステップと、
算出した進化型基地局構成更新失敗メッセージの受信回数が設定した回数の閾値を超えたかどうかを比較するステップと、
比較において、算出した進化型基地局構成更新失敗メッセージの回数が設定した回数の閾値を超えた場合に、前記進化型基地局構成更新メッセージの送信を中止するステップとを含む。
【０００７】
前記方法は、
前記待ち時間情報要素によって指定された待ち時間内において前記構成情報が更新されたかどうかを判断するステップと、
前記構成情報が更新された場合に、前記進化型基地局構成更新失敗メッセージの受信回数の初期値をリセットするステップとを更に含んでいてもよい。
【０００８】
本発明に係る構成更新失敗の処理方法は、移動管理エンティティ構成更新失敗メッセージの受信回数の閾値を設定し、前記方法は、
構成情報が更新された後に、進化型基地局に移動管理エンティティ構成更新メッセージを送信するステップと、
前記進化型基地局によって送信された、待ち時間情報要素を含む移動管理エンティティ構成更新失敗メッセージを受信するステップと、
前記移動管理エンティティ構成更新失敗メッセージの受信回数を算出するステップと、
算出した移動管理エンティティ構成更新失敗メッセージの受信回数が設定した回数の閾値を超えたかどうかを比較するステップと、
比較において、算出した移動管理エンティティ構成更新失敗メッセージの受信回数が設定した回数の閾値を超えた場合に、前記移動管理エンティティ構成更新メッセージの送信を中止するステップとを含む。
【０００９】
前記方法は、
前記待ち時間情報要素によって指定された待ち時間内において前記構成情報が更新されたかどうかを判断するステップと、
前記構成情報が更新された場合に、前記移動管理エンティティ構成更新失敗メッセージの受信回数の初期値をリセットするステップとを更に含んでいてもよい。
【００１０】
本発明に係る構成更新失敗の処理方法は、時間の閾値を設定し、前記方法は、
構成情報が更新された後に、移動管理エンティティ又は隣接する進化型基地局に進化型基地局構成更新メッセージを送信するステップと、
前記移動管理エンティティ又は隣接する進化型基地局によって送信された、待ち時間情報要素を含む進化型基地局構成更新失敗メッセージを受信するステップと、
前記受信した進化型基地局構成更新失敗メッセージにおける待ち時間情報要素によって指定された時間の長さを蓄積するステップと、
受信した進化型基地局構成更新失敗メッセージにおける待ち時間情報要素によって指定された時間の長さの蓄積値が、設定した時間の閾値を超えたかどうかを比較するステップと、
比較において、受信した進化型基地局構成更新失敗メッセージにおける待ち時間情報要素によって指定された時間の長さの蓄積値が設定した時間の閾値を超えた場合に、前記進化型基地局構成更新メッセージの送信を中止するステップとを含む。
【００１１】
前記方法は、
前記待ち時間情報要素によって指定された時間の長さにおいて前記構成情報が更新されたかどうかを判断するステップと、
前記構成情報が更新された場合に、時間の長さの初期値をリセットするステップとを更に含んでいてもよい。
【００１２】
本発明に係る構成更新失敗の処理方法は、時間の閾値を設定し、前記方法は、
構成情報が更新された後に、進化型基地局に移動管理エンティティ構成更新メッセージを送信するステップと、
前記進化型基地局によって送信された、待ち時間情報要素を含む移動管理エンティティ構成更新失敗メッセージを受信するステップと、
前記受信した移動管理エンティティ構成更新失敗メッセージにおける待ち時間情報要素によって指定された時間の長さを蓄積するステップと、
受信した移動管理エンティティ構成更新失敗メッセージにおける待ち時間情報要素によって指定された時間の長さの蓄積値が、設定した時間の閾値を超えたかどうかを比較するステップと、
比較において、受信した移動管理エンティティ構成更新失敗メッセージにおける待ち時間情報要素によって指定された時間の長さの蓄積値が設定した時間の閾値を超えた場合に、前記移動管理エンティティ構成更新メッセージの送信を中止するステップとを含む。
【００１３】
前記方法は、
前記受信した進化型基地局によって送信された待ち時間情報要素によって指定された時間の長さにおいて前記構成情報が更新されたかどうかを判断するステップと、
前記構成情報が更新された場合に、蓄積した時間の長さの初期値をリセットするステップとを更に含んでいてもよい。
【００１４】
本発明に係る構成更新失敗の処理装置は、第１受信モジュールと、第１受信モジュールと、第１計数モジュールと、第１閾値設定モジュールと、第１比較モジュールと、第１通知モジュールとを含む。
前記第１閾値設定モジュールは、進化型基地局構成更新失敗メッセージの受信回数の閾値を設定することに用いられる。
前記第１送信モジュールは、前記第１受信モジュールに接続され、構成情報が更新された後に、移動管理エンティティ又は隣接する進化型基地局に進化型基地局構成更新メッセージを送信することに用いられる。
前記第１受信モジュールは、前記移動管理エンティティ又は隣接する進化型基地局によって送信された、待ち時間情報要素を含む進化型基地局構成更新失敗メッセージを受信することに用いられる。
前記第１計数モジュールは、前記第１受信モジュールに接続され、前記第１受信モジュールによって受信された進化型基地局構成更新失敗メッセージの回数を算出することに用いられる。
前記第１比較モジュールは、前記第１計数モジュールと前記第１閾値設定モジュールに接続され、前記第１計数モジュールによって算出された進化型基地局構成更新失敗メッセージの受信回数が、前記第１閾値設定モジュールによって設定された回数の閾値を超えたかどうかを比較することに用いられる。
前記第１通知モジュールは、前記第１送信モジュールと前記第１比較モジュールに接続され、前記第１比較モジュールが、前記第１計数モジュールによって算出された進化型基地局構成更新失敗メッセージの受信回数が前記第１閾値設定モジュールによって設定された回数の閾値を超えたと判断した場合に、前記第１送信モジュールに前記進化型基地局構成更新メッセージの送信を中止することを通知することに用いられる。
【００１５】
前記装置は、第１判断モジュールと第１リセットモジュールとを更に含んでいてもよい。
前記第１判断モジュールは、前記第１受信モジュールに接続され、前記待ち時間情報要素によって指定された待ち時間内において前記構成情報が更新されたかどうかを判断することに用いられる。
前記第１リセットモジュールは、前記第１判断モジュールに接続され、前記第１判断モジュールが前記構成情報が更新されたと判断した場合に、前記第１計数モジュールによって算出された前記進化型基地局構成更新失敗メッセージの受信回数の初期値をリセットすることに用いられる。
【００１６】
本発明に係る構成更新失敗の処理装置は、第２送信モジュールと、第２受信モジュールと、第２計数モジュールと、第２閾値設定モジュールと、第２比較モジュールと、第２通知モジュールとを含む。
前記第２閾値設定モジュールは、移動管理エンティティ構成更新失敗メッセージの受信回数の閾値を設定することに用いられる。
前記第２送信モジュールは、前記第２受信モジュールに接続され、構成情報が更新された後に進化型基地局に移動管理エンティティ構成更新メッセージを送信することに用いられる。
前記第２受信モジュールは、前記進化型基地局によって送信された、待ち時間情報要素を含む移動管理エンティティ構成更新失敗メッセージを受信することに用いられる。
前記第２計数モジュールは、前記第２受信モジュールに接続され、前記第２受信モジュールによって受信された移動管理エンティティ構成更新失敗メッセージの回数を算出することに用いられる。
前記第２比較モジュールは、前記第２閾値設定モジュールと前記第２計数モジュールに接続され、前記第２計数モジュールによって算出された移動管理エンティティ構成更新失敗メッセージの受信回数が、前記第２閾値設定モジュールによって設定された回数の閾値を超えたかどうかを比較することに用いられる。
前記第２通知モジュールは、前記第２比較モジュールに接続され、前記第２比較モジュールが、前記第２計数モジュールによって算出された移動管理エンティティ構成更新失敗メッセージの受信回数が前記第２閾値設定モジュールによって設定された回数の閾値を超えたと判断した場合に、前記第２送信モジュールに前記移動管理エンティティ構成更新メッセージの送信を中止することを通知することに用いられる。
【００１７】
前記装置は、第２判断モジュールと第２リセットモジュールとを更に含んでいてもよい。
前記第２判断モジュールは、前記第２受信モジュールに接続され、前記待ち時間情報要素によって指定された待ち時間内において前記構成情報が更新されたかどうかを判断することに用いられる。
前記第２リセットモジュールは、前記第２判断モジュールに接続され、前記第２判断モジュールが前記構成情報が更新されたと判断した場合に、前記第２計数モジュールによって算出された前記進化型基地局構成更新失敗メッセージの受信回数の初期値をリセットすることに用いられる。
【００１８】
本発明に係る構成更新失敗の処理装置は、第１送信モジュールと、第１受信モジュールと、第１計数モジュールと、第１閾値設定モジュールと、第１比較モジュールと、第１通知モジュールとを含む。
前記第１閾値設定モジュールは、時間の閾値を設定することに用いられる。
前記第１送信モジュールは、前記第１受信モジュールに接続され、構成情報が更新された後に移動管理エンティティ又は隣接する進化型基地局に進化型基地局構成更新メッセージを送信することに用いられる。
前記第１受信モジュールは、前記移動管理エンティティ又は隣接する進化型基地局によって送信された、待ち時間情報要素を含む進化型基地局構成更新失敗メッセージを受信することに用いられる。
前記第１計数モジュールは、前記第１受信モジュールに接続され、前記第１受信モジュールによって受信された進化型基地局構成更新失敗メッセージにおける待ち時間情報要素によって指定された時間の長さを蓄積することに用いられる。
前記第１比較モジュールは、前記第１計数モジュールと前記第１閾値設定モジュールに接続され、前記待ち時間情報要素によって指定された時間の長さの蓄積値が、前記第１閾値設定モジュールによって設定された時間の閾値を超えたかどうかを比較することに用いられる。
前記第１通知モジュールは、前記第１比較モジュールに接続され、前記第１比較モジュールが、前記待ち時間情報要素によって指定された時間の長さの蓄積値が前記第１閾値設定モジュールによって設定された時間の閾値を超えたと判断した場合に、前記第１送信モジュールに前記進化型基地局構成更新メッセージの送信を中止することを通知することに用いられる。
【００１９】
前記装置は第１判断モジュールと第１リセットモジュールとを更に含んでいてもよい。
前記第１判断モジュールは、前記第１受信モジュールに接続され、前記待ち時間情報要素によって指定された時間の長さにおいて前記構成情報が更新されたかどうかを判断することに用いられる。
前記第１リセットモジュールは、前記第１判断モジュールに接続され、前記第１判断モジュールが前記構成情報が更新されたと判断した場合に、前記第１計数モジュールによって蓄積された時間の長さの初期値をリセットすることに用いられる。
【００２０】
本発明に係る構成更新失敗の処理装置は、第２送信モジュールと、第２受信モジュールと、第２計数モジュールと、第２閾値設定モジュールと、第２比較モジュールと、第２通知モジュールとを含む。
前記第２閾値設定モジュールは、時間の閾値を設定することに用いられる。
前記第２送信モジュールは、前記第２受信モジュールに接続され、構成情報が更新された後に進化型基地局に移動管理エンティティ構成更新メッセージを送信することに用いられる。
前記第２受信モジュールは、前記進化型基地局によって送信された、待ち時間情報要素を含む移動管理エンティティ構成更新失敗メッセージを受信することに用いられる。
前記第２計数モジュールは、前記第２受信モジュールに接続され、前記第２受信モジュールによって受信された移動管理エンティティ構成更新失敗メッセージにおける待ち時間情報要素によって指定された時間の長さを蓄積することに用いられる。
前記第２閾値設定モジュールは、移動管理エンティティ構成更新失敗メッセージの受信時間の閾値を設定することに用いられる。
前記第２比較モジュールは、前記第２計数モジュールと前記第２閾値設定モジュールに接続され、前記待ち時間情報要素によって指定された時間の長さの蓄積値が、前記第２閾値設定モジュールによって設定された時間の閾値を超えたかどうかを比較することに用いられる。
前記第２通知モジュールは、前記第２比較モジュールに接続され、前記第２比較モジュールが、前記待ち時間情報要素によって指定された時間の長さの蓄積値が前記第２閾値設定モジュールによって設定された時間の閾値を超えたと判断した場合に、前記第２送信モジュールに前記移動管理エンティティ構成更新メッセージの送信を中止することを通知することに用いられる。
【００２１】
前記装置は、第２判断モジュールと第２リセットモジュールとを更に含んでいてもよい。
前記第２判断モジュールは、前記第２受信モジュールに接続され、前記第２受信モジュールによって受信された、進化型基地局によって送信された待ち時間情報要素によって指定された時間の長さにおいて前記構成情報が更新されたかどうかを判断することに用いられる。
前記第２リセットモジュールは、前記第２判断モジュールに接続され、第２判断モジュールが前記構成情報が更新されたと判断した場合に、前記第２計数モジュールによって蓄積された時間の長さの初期値をリセットすることに用いられる。
【００２２】
本発明に係る構成更新失敗の処理システムは、設定モジュールと、第１構成更新失敗の処理装置と、前記第１構成更新失敗の処理装置に接続される第２構成更新失敗の処理装置とを含む。
前記設定モジュールは、進化型基地局構成更新失敗メッセージの受信回数の閾値を設定することに用いられる。
前記第１構成更新失敗の処理装置は、構成情報が更新された後に前記第２構成更新失敗の処理装置に進化型基地局構成更新メッセージを送信し、前記第２構成更新失敗の処理装置によって送信された、待ち時間情報要素を含む進化型基地局構成更新失敗メッセージを受信し、進化型基地局構成更新失敗メッセージの受信回数を算出し、前記算出した進化型基地局構成更新失敗メッセージの受信回数が、設定した進化型基地局構成更新失敗メッセージの受信回数の閾値を超えたかどうかを比較し、超えた場合、進化型基地局構成更新メッセージの送信を中止することに用いられる。
第２構成更新失敗の処理装置は、前記第１構成更新失敗の処理装置によって送信された進化型基地局構成更新メッセージを受信した後に、更新失敗の場合に、前記第１構成更新失敗の処理装置に、前記待ち時間情報要素を含む進化型基地局構成更新失敗メッセージを送信することに用いられる。
【００２３】
本発明に係る構成更新失敗の処理システムは、設定モジュールと、第１構成更新失敗の処理装置と、前記第１構成更新失敗の処理装置に接続される第２構成更新失敗の処理装置とを含む。
前記設定モジュールは、移動管理エンティティ構成更新失敗メッセージの受信回数の閾値を設定することに用いられる。
前記第１構成更新失敗の処理装置は、構成情報が更新された後に、第２構成更新失敗の処理装置に移動管理エンティティ構成更新メッセージを送信し、前記第２構成更新失敗の処理装置によって送信された、待ち時間情報要素を含む移動管理エンティティ構成更新失敗メッセージを受信し、前記移動管理エンティティ構成更新失敗メッセージの受信回数を算出し、前記算出した移動管理エンティティ構成更新失敗メッセージの受信回数が、設定した移動管理エンティティ構成更新失敗メッセージの受信回数の閾値を超えたかどうかを比較し、超えた場合、前記移動管理エンティティ構成更新メッセージの送信を中止することに用いられる。
前記第２構成更新失敗の処理装置は、前記移動管理エンティティ構成更新メッセージを受信し、更新失敗の場合に、前記第１構成更新失敗の処理装置に前記待ち時間情報要素を含む移動管理エンティティ構成更新失敗メッセージを送信することに用いられる。
【００２４】
本発明に係る構成更新失敗の処理システムは、設定モジュールと、第１構成更新失敗の処理装置と、前記第１構成更新失敗の処理装置に接続される第２構成更新失敗の処理装置とを含む。
前記設定モジュールは、時間の閾値を設定することに用いられる。
前記第１構成更新失敗の処理装置は、構成情報が更新された後に、前記第２構成更新失敗の処理装置に進化型基地局構成更新メッセージを送信し、前記第２構成更新失敗の処理装置によって送信された、待ち時間情報要素を含む進化型基地局構成更新失敗メッセージを受信し、受信した進化型基地局構成更新失敗メッセージにおける待ち時間情報要素によって指定された時間の長さを蓄積し、前記待ち時間情報要素によって指定された時間の長さの蓄積値が、設定した時間の閾値を超えたかどうかを比較し、超えた場合、前記進化型基地局構成更新メッセージの送信を中止することに用いられる。
前記第２構成更新失敗の処理装置は、前記第１構成更新失敗の処理装置によって送信された進化型基地局構成更新メッセージを受信した後に、更新失敗の場合に、前記第１構成更新失敗の処理装置に前記待ち時間情報要素を含む進化型基地局構成更新失敗メッセージを送信することに用いられる。
【００２５】
本発明に係る構成更新失敗の処理システムは、設定モジュールと、第１構成更新失敗の処理装置と、前記第１構成更新失敗の処理装置に接続される第２構成更新失敗の処理装置とを含む。
前記設定モジュールは、時間の閾値を設定することに用いられる。
前記第１構成更新失敗の処理装置は、構成情報が更新された後に第２構成更新失敗の処理装置に移動管理エンティティ構成更新メッセージを送信し、前記第２構成更新失敗の処理装置によって送信された、待ち時間情報要素を含む移動管理エンティティ構成更新失敗メッセージを受信し、受信した移動管理エンティティ構成更新失敗メッセージにおける待ち時間情報要素によって指定された時間の長さを蓄積し、前記待ち時間情報要素によって指定された時間の長さの蓄積値が、設定した時間の閾値を超えたかどうかを比較し、超えた場合、前記移動管理エンティティ構成更新メッセージの送信を中止することに用いられる。
前記第２構成更新失敗の処理装置は、前記移動管理エンティティ構成更新メッセージを受信し、更新失敗の場合に、前記第１構成更新失敗の処理装置に前記待ち時間情報要素を含む移動管理エンティティ構成更新失敗メッセージを送信することに用いられる。
【００２６】
本発明は、回数の閾値又は時間の閾値を設定することで、待ち時間情報要素を含む構成更新失敗メッセージの受信回数の蓄積値又は受信時間の蓄積値が、回数の閾値又は時間の閾値を超えた場合に、構成更新メッセージの送信を中止する。これにより、本発明は、相手側によって送信された、待ち時間情報要素を含む構成更新失敗メッセージを常時受信する場合に、その間に、送信側の構成が変わっていないのにも関わらず、同一の更新過程が繰り返して行なわれてしまう問題を解決することができ、これにより、システム負荷を低減してシステムの頑強性と安定性を向上させることができる。
【図面の簡単な説明】
【００２７】
【図１】本発明によって提供される第１の構成更新失敗の処理方法のフローチャートである。
【図２】本発明によって提供される第２の構成更新失敗の処理方法のフローチャートである。
【図３】本発明によって提供される第３の構成更新失敗の処理方法のフローチャートである。
【図４】本発明によって提供される第４の構成更新失敗の処理方法のフローチャートである。
【図５】本発明によって提供される構成更新失敗の処理装置の構造図である。
【図６】本発明によって提供されるもう１つの構成更新失敗の処理装置の構造図である。
【図７】本発明によって提供される構成更新失敗の処理システムの構造図である。
【発明を実施するための形態】
【００２８】
本発明の基本的な着想は、回数の閾値又は時間の閾値の設定によって、待ち時間情報要素を含む構成更新失敗メッセージの受信回数の蓄積値又は受信時間の蓄積値が、回数の閾値又は時間の閾値を超えた場合に、構成更新メッセージの送信を中止するというものである。本発明は、相手側によって送信された、待ち時間情報要素を含む構成更新失敗メッセージを常時受信する場合に、その間に、送信側の構成が変わっていないのにも関わらず、同一の更新過程が繰り返して行なわれてしまう問題を解決し、これにより、システム負荷を低減してシステムの頑強性と安定性を向上させることができる。
【００２９】
以下、図面とともに、好ましい実施形態に合わせて、本発明の技術的なスキームを更に詳細に説明する。
【００３０】
本発明の第１実施例は、構成更新失敗の処理方法を提供する。この処理方法は、図１に示すように、以下のステップを含む。
ステップ１０１：  進化型基地局構成更新失敗メッセージの受信回数の閾値を設定する。
ステップ１０２：  構成情報が更新された後に移動管理エンティティ又は隣接する進化型基地局に進化型基地局構成更新メッセージを送信する。
ステップ１０３：  移動管理エンティティ又は隣接する進化型基地局によって送信された、待ち時間情報要素を含む進化型基地局構成更新失敗メッセージを受信する。
ステップ１０４：  進化型基地局構成更新失敗メッセージの受信回数を算出する。
ステップ１０５：  算出した進化型基地局構成更新失敗メッセージの受信回数が、前記設定した回数の閾値を超えたかどうかを比較する。
ステップ１０６：  比較において、算出した進化型基地局構成更新失敗メッセージの受信回数が設定した回数の閾値を超えた場合に、進化型基地局構成更新メッセージの送信を中止する。
【００３１】
前記方法は、
移動管理エンティティ又は隣接する進化型基地局によって送信された、待ち時間情報要素によって指定された待ち時間内において前記構成情報が更新されたかどうかを判断するステップと、
前記構成情報が更新された場合に、進化型基地局構成更新失敗メッセージの受信回数の初期値をリセットするステップとを更に含む。
【００３２】
以下、例を挙げて前記第１実施例を詳細に説明するが、この例は本発明の保護範囲を制限するものではない。
【００３３】
進化型基地局構成更新失敗メッセージの受信回数の閾値ｋ＝３を設定し、進化型基地局構成更新失敗メッセージの受信回数の初期値ｎ＝０を設定する。
【００３４】
移動管理エンティティ又は隣接する進化型基地局にＥＮＢ  ＣＯＮＦＩＧＵＲＡＴＩＯＮ  ＵＰＤＡＴＥメッセージを送信して、応答を待つ。
【００３５】
移動管理エンティティ又は隣接する進化型基地局によって送信された、Ｔｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信する。
【００３６】
Ｔｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信した後に、初期値ｎに１をプラスする。
【００３７】
算出したＥＮＢ  ＣＯＮＦＩＧＵＲＡＴＩＯＮ  ＵＰＤＡＴＥ  ＦＡＩＬＵＲＥメッセージの受信回数ｎが閾値ｋ＝３を超えたかどうかを比較し、超えた場合に、ＥＮＢ  ＣＯＮＦＩＧＵＲＡＴＩＯＮ  ＵＰＤＡＴＥメッセージの送信を中止してフローを終了する。一方、超えていない場合に、移動管理エンティティ又は隣接する進化型基地局の応答を引き続き受信し、受信した応答が依然としてＥＮＢ  ＣＯＮＦＩＧＵＲＡＴＩＯＮ  ＵＰＤＡＴＥ  ＦＡＩＬＵＲＥメッセージである場合、ｎに１を蓄積する動作を引き続き行って、ｎとｋを比較し、次いで、比較結果に応じて対応する動作を行う。
【００３８】
受信したＴｉｍｅ  Ｔｏ  Ｗａｉｔ  ＩＥによって指定された時間の長さにおいて当該装置の構成情報が変わったかどうかを判断し、当該装置の構成情報が変わった場合、進化型基地局構成更新失敗メッセージの受信回数をｎ＝０にリセットする。
【００３９】
本発明の第１実施例によって提供される構成更新失敗の処理方法とは異なり、本発明の第２実施例によって提供される構成更新失敗の処理方法は、Ｔｉｍｅ  Ｔｏ  Ｗａｉｔ  ＩＥによって指定された時間の長さを蓄積し、時間の蓄積値が時間の閾値を超えた場合に、ＥＮＢ  ＣＯＮＦＩＧＵＲＡＴＩＯＮ  ＵＰＤＡＴＥメッセージの送信を中止する。
【００４０】
図２に示すように、本発明の第２実施例は、構成更新失敗の処理方法を提供し、この処理方法は、以下のステップを含む。
ステップ２０１：  時間の閾値を設定する。
ステップ２０２：  構成情報が更新された後に移動管理エンティティ又は隣接する進化型基地局に進化型基地局構成更新メッセージを送信する。
ステップ２０３：  移動管理エンティティ又は隣接する進化型基地局によって送信された、待ち時間情報要素を含む進化型基地局構成更新失敗メッセージを受信する。
ステップ２０４：  受信した進化型基地局構成更新失敗メッセージにおける待ち時間情報要素によって指定された時間の長さを蓄積する。
ステップ２０５：  受信した進化型基地局構成更新失敗メッセージにおける待ち時間情報要素によって指定された時間の長さの蓄積値が、設定した時間の閾値を超えたかどうかを比較する。
ステップ２０６：  比較において、受信した進化型基地局構成更新失敗メッセージにおける待ち時間情報要素によって指定された時間の長さの蓄積値が設定した時間の閾値を超えた場合に、進化型基地局構成更新メッセージの送信を中止する。
【００４１】
この方法は、
受信した移動管理エンティティ又は隣接する進化型基地局によって送信された待ち時間情報によって指定された時間の長さにおいて構成情報が更新されたかどうかを判断するステップと、
構成情報が更新された場合に、時間の長さの初期値をリセットするステップとを更に含む。
【００４２】
以下、例を挙げて前記第２実施例を詳細に説明するが、この例は本発明の保護範囲を制限するものではない。
【００４３】
時間の閾値ｋ＝４５ｍｓを設定し、時間の長さの初期値ｎ＝０ｍｓを設定する。
【００４４】
移動管理エンティティ又は隣接する進化型基地局にＥＮＢ  ＣＯＮＦＩＧＵＲＡＴＩＯＮ  ＵＰＤＡＴＥメッセージを送信して、応答を待つ。
【００４５】
移動管理エンティティ又は隣接する進化型基地局によって送信された、Ｔｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信する。
【００４６】
Ｔｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信した後に、初期値ｎにＴｉｍｅ  Ｔｏ  Ｗａｉｔ  ＩＥによって指定された時間の長さをプラスする。
【００４７】
受信したＥＮＢ  ＣＯＮＦＩＧＵＲＡＴＩＯＮ  ＵＰＤＡＴＥ  ＦＡＩＬＵＲＥメッセージにおける待ち時間情報要素によって指定された時間の長さの蓄積値が、時間の閾値ｋ＝４５ｍｓを超えたかどうかを判断し、超えた場合に、ＥＮＢ  ＣＯＮＦＩＧＵＲＡＴＩＯＮ  ＵＰＤＡＴＥメッセージの送信を中止してフローを終了する。一方、超えていない場合に、移動管理エンティティ又は隣接する進化型基地局の応答を引き続き受信し、受信した応答が依然としてＥＮＢ  ＣＯＮＦＩＧＵＲＡＴＩＯＮ  ＵＰＤＡＴＥ  ＦＡＩＬＵＲＥメッセージである場合、ｎにＴｉｍｅ  Ｔｏ  Ｗａｉｔ  ＩＥによって指定された時間の長さを蓄積する動作を引き続き行って、ｎとｋを比較し、次いで、比較結果に応じて対応する動作を行う。
【００４８】
受信したＴｉｍｅ  Ｔｏ  Ｗａｉｔ  ＩＥによって指定された時間の長さにおいて、構成情報が変わったかどうかを判断し、構成情報が変わった場合、ｎの値を０にリセットする。
【００４９】
本発明の第３の実施例は、構成更新失敗の処理方法を提供し、この処理方法は、図３に示すように、以下のステップを含む。
ステップ３０１：  移動管理エンティティ構成更新失敗メッセージの受信回数の閾値を設定する。
ステップ３０２：  構成情報が更新された後に、進化型基地局に移動管理エンティティ構成更新メッセージを送信する。
ステップ３０３：  進化型基地局によって送信された、待ち時間情報要素を含む移動管理エンティティ構成更新失敗メッセージを受信する。
ステップ３０４：  移動管理エンティティ構成更新失敗メッセージの受信回数を算出する。
ステップ３０５：  算出した移動管理エンティティ構成更新失敗メッセージの受信回数が、前記設定した回数の閾値を超えたかどうかを比較する。
ステップ３０６：  比較において、算出した移動管理エンティティ構成更新失敗メッセージの受信回数が前記設定した回数の閾値を超えた場合に、移動管理エンティティ構成更新メッセージの送信を中止する。
【００５０】
この方法は、
前記受信した進化型基地局によって送信された待ち時間情報要素によって指定された待ち時間内において前記構成情報が更新されたかどうかを判断するステップと、
前記構成情報が更新された場合に、移動管理エンティティ構成更新失敗メッセージの受信回数の初期値をリセットするステップとを更に含む。
【００５１】
以下、例を挙げて前記第３の実施例を詳細に説明するが、この例は本発明の保護範囲を制限するものではない。
【００５２】
移動管理エンティティ構成更新失敗メッセージの受信回数の閾値ｔ＝４を設定し、移動管理エンティティ構成更新失敗メッセージの受信回数の初期値ｃｏｕｎｔｅｒ＝０を設定する。
【００５３】
情報が構成された後に、進化型基地局にＭＭＥ  ＣＯＮＦＩＧＵＲＡＴＩＯＮ  ＵＰＤＡＴＥメッセージ送信して、応答を待つ。
【００５４】
進化型基地局によって送信された、Ｔｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信する。
【００５５】
Ｔｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信した後に、初期値ｃｏｕｎｔｅｒに１をプラスする。
【００５６】
算出したＭＭＥ  ＣＯＮＦＩＧＵＲＡＴＩＯＮ  ＵＰＤＡＴＥ  ＦＡＩＬＵＲＥメッセージの受信回数ｃｏｕｎｔｅｒが閾値ｔ＝４を超えたかどうかを比較し、超えた場合に、ＭＭＥ  ＣＯＮＦＩＧＵＲＡＴＩＯＮ  ＵＰＤＡＴＥメッセージの送信を中止してフローを終了する。一方、超えていない場合に、進化型基地局の応答を引き続き受信し、受信した応答が依然としてＭＭＥ  ＣＯＮＦＩＧＵＲＡＴＩＯＮ  ＵＰＤＡＴＥ  ＦＡＩＬＵＲＥメッセージである場合、ｃｏｕｎｔｅｒに１を蓄積する動作を引き続き行って、ｃｏｕｎｔｅｒとｔを比較して、次いで、比較結果に応じて対応する動作を行う。
【００５７】
受信したＴｉｍｅ  Ｔｏ  Ｗａｉｔ  ＩＥによって指定された時間の長さにおいて、構成情報が変わったかどうかを判断し、構成情報が変わった場合、ｃｏｕｎｔｅｒの値を０にリセットする。
【００５８】
本発明の第３の実施例によって提供される構成更新失敗の処理方法とは異なり、本発明の第４の実施例によって提供される構成更新失敗の処理方法は、Ｔｉｍｅ  Ｔｏ  Ｗａｉｔ  ＩＥによって指定された時間の長さを蓄積し、時間の蓄積値が時間の閾値を超えた場合に、ＥＮＢ  ＣＯＮＦＩＧＵＲＡＴＩＯＮ  ＵＰＤＡＴＥメッセージの送信を中止する。
【００５９】
図４に示すように、本発明の第４の実施例は、構成更新失敗の処理方法を提供し、この処理方法は、以下のステップを含む。
ステップ４０１：  時間の閾値を設定する。
ステップ４０２：  構成情報が更新された後に進化型基地局に移動管理エンティティ構成更新メッセージを送信する。
ステップ４０３：  進化型基地局によって送信された、待ち時間情報要素を含む移動管理エンティティ構成更新失敗メッセージを受信する。
ステップ４０４：  受信した移動管理エンティティ構成更新失敗メッセージにおける待ち時間情報要素によって指定された時間の長さを蓄積する。
ステップ４０５：  移動管理エンティティ構成更新失敗メッセージにおける待ち時間情報要素によって指定された時間の長さの蓄積値が、設定した時間の閾値を超えたかどうかを比較する。
ステップ４０６：  比較において、移動管理エンティティ構成更新失敗メッセージにおける待ち時間情報要素によって指定された時間の長さの蓄積値が設定した時間の閾値を超えた場合に、移動管理エンティティ構成更新メッセージの送信を中止する。
【００６０】
この方法は、
受信した進化型基地局によって送信された待ち時間情報要素によって指定された時間の長さにおいて前記構成情報が更新されたかどうかを判断するステップと、
前記構成情報が更新された場合に、時間の長さの初期値をリセットするステップとを更に含む。
【００６１】
以下、例を挙げて前記第４の実施例を詳細に説明するが、この例は本発明の保護範囲を制限するものではない。
【００６２】
時間の閾値ｔ＝４５ｍｓを設定し、受信した移動管理エンティティ構成更新失敗メッセージの初期時間値ｃｏｕｎｔｅｒ＝０を設定する。
【００６３】
情報が構成された後に、進化型基地局にＭＭＥ  ＣＯＮＦＩＧＵＲＡＴＩＯＮ  ＵＰＤＡＴＥメッセージを送信して、応答を待つ。
【００６４】
進化型基地局によって送信された、Ｔｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信する。
【００６５】
Ｔｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信した後に、初期値ｃｏｕｎｔｅｒにＴｉｍｅ  Ｔｏ  Ｗａｉｔ  ＩＥによって指定された時間の長さをプラスする。
【００６６】
算出したＭＭＥ  ＣＯＮＦＩＧＵＲＡＴＩＯＮ  ＵＰＤＡＴＥ  ＦＡＩＬＵＲＥメッセージの受信時間の長さｃｏｕｎｔｅｒが、閾値ｔ＝４５ｍｓを超えたかどうかを比較し、超えた場合に、ＭＭＥ  ＣＯＮＦＩＧＵＲＡＴＩＯＮ  ＵＰＤＡＴＥメッセージの送信を中止してフローを終了する。一方、超えていない場合に、進化型基地局の応答を引き続き受信し、受信した応答が依然としてＭＭＥ  ＣＯＮＦＩＧＵＲＡＴＩＯＮ  ＵＰＤＡＴＥ  ＦＡＩＬＵＲＥメッセージである場合、ｃｏｕｎｔｅｒにＴｉｍｅ  Ｔｏ  Ｗａｉｔ  ＩＥによって指定された時間の長さを蓄積する動作を引き続き行って、ｃｏｕｎｔｅｒとｔを比較して、次いで、比較結果に応じて対応する動作を行う。
【００６７】
受信したＴｉｍｅ  Ｔｏ  Ｗａｉｔ  ＩＥによって指定された時間の長さにおいて、構成情報が変わったかどうかを判断し、構成情報が変わった場合、ｃｏｕｎｔｅｒの値を０にリセットする。
【００６８】
図５に示すように、本発明の第５の実施例は、構成更新失敗の処理装置を提供する。
この処理装置は、
第１受信モジュールに接続され、構成情報が更新された後に移動管理エンティティ又は隣接する進化型基地局に進化型基地局構成更新メッセージを送信する第１送信モジュールと、
移動管理エンティティ又は隣接する進化型基地局によって送信された、待ち時間情報要素を含む進化型基地局構成更新失敗メッセージを受信する第１受信モジュールと、
第１受信モジュールに接続され、第１受信モジュールによって受信された進化型基地局構成更新失敗メッセージの回数を算出する第１計数モジュールと、
進化型基地局構成更新失敗メッセージの受信回数の閾値を設定する第１閾値設定モジュールと、
第１計数モジュールと第１閾値設定モジュールに接続され、第１計数モジュールによって算出された進化型基地局構成更新失敗メッセージの受信回数が、第１閾値設定モジュールによって設定された回数の閾値を超えたかどうかを比較する第１比較モジュールと、
第１送信モジュールと第１比較モジュールに接続され、第１比較モジュールが、第１計数モジュールによって算出された進化型基地局構成更新失敗メッセージの受信回数が第１閾値設定モジュールによって設定された回数の閾値を超えたと判断した場合に、第１送信モジュールに前記進化型基地局構成更新メッセージの送信を中止することを通知する第１通知モジュールとを含む。
【００６９】
この装置は、
第１受信モジュールに接続され、第１受信モジュールによって受信された移動管理エンティティ又は隣接する進化型基地局によって送信された待ち時間情報要素によって指定された待ち時間内において前記構成情報が更新されたかどうかを判断する第１判断モジュールと、
第１判断モジュールに接続され、第１判断モジュールが前記構成情報が更新されたと判断した場合に、第１計数モジュールの初期値をリセットする第１リセットモジュールとを更に含む。
【００７０】
構成更新失敗の処理装置は、進化型基地局であってもよい。
【００７１】
以下、例を挙げて前記第５の実施例を詳細に説明するが、この例は本発明の保護範囲を制限するものではない。
【００７２】
第１閾値設定モジュールは、進化型基地局構成更新失敗メッセージの受信回数の閾値ｋ＝３を設定し、第１計数モジュールは、その初期値ｎ＝０を設定する。
【００７３】
第１送信モジュールは、情報が構成された後に移動管理エンティティ又は隣接する進化型基地局にＥＮＢ  ＣＯＮＦＩＧＵＲＡＴＩＯＮ  ＵＰＤＡＴＥメッセージを送信して、応答を待つ。
【００７４】
第１受信モジュールは、移動管理エンティティ又は隣接する進化型基地局によって送信された、Ｔｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信する。
【００７５】
第１計数モジュールは、第１受信モジュールがＴｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信した後に初期値ｎに１をプラスする。
【００７６】
第１比較モジュールは、第１計数モジュールによって算出されたＥＮＢ  ＣＯＮＦＩＧＵＲＡＴＩＯＮ  ＵＰＤＡＴＥ  ＦＡＩＬＵＲＥメッセージの受信回数ｎが、閾値ｋ＝３を超えたかどうかを比較し、超えた場合に、第１通知モジュールは、第１送信モジュールにＥＮＢ  ＣＯＮＦＩＧＵＲＡＴＩＯＮ  ＵＰＤＡＴＥメッセージの送信を中止することを通知してフローを終了する。一方、超えていない場合に、第１受信モジュールは、移動管理エンティティ又は隣接する進化型基地局の応答を引き続き受信し、受信した応答が依然としてＥＮＢ  ＣＯＮＦＩＧＵＲＡＴＩＯＮ  ＵＰＤＡＴＥ  ＦＡＩＬＵＲＥメッセージである場合、第１計数モジュールは、ｎに１を蓄積する動作を引き続き行い、第１比較モジュールによって、ｎとｋを比較し、次いで、比較結果に応じて対応する動作を行う。
【００７７】
第１判断モジュールは、第１受信モジュールが受信したＴｉｍｅ  Ｔｏ  Ｗａｉｔ  ＩＥによって指定された時間の長さにおいて、当該装置の構成情報が変わったかどうかを判断し、当該装置の構成情報が変わった場合、第１リセットモジュールは、第１計数モジュールの値をｎ＝０にリセットする。
【００７８】
なお、第１計数モジュールは加算器であってもよいし、減算器であってもよい。
【００７９】
本発明の第５の実施例によって提供される構成更新失敗の処理装置とは異なり、本発明の第６の実施例によって提供される構成更新失敗の処理装置は、Ｔｉｍｅ  Ｔｏ  Ｗａｉｔ  ＩＥによって指定された時間の長さを蓄積し、時間の蓄積値が時間の閾値を超えた場合に、ＥＮＢ  ＣＯＮＦＩＧＵＲＡＴＩＯＮ  ＵＰＤＡＴＥメッセージの送信を中止する。
【００８０】
図５に示すように、本発明の第６の実施例は、構成更新失敗の処理装置を提供する。
この処理装置は、
第１受信モジュールに接続され、構成情報が更新された後に移動管理エンティティ又は隣接する進化型基地局に進化型基地局構成更新メッセージを送信する第１送信モジュールと、
移動管理エンティティ又は隣接する進化型基地局によって送信された、待ち時間情報要素を含む進化型基地局構成更新失敗メッセージを受信する第１受信モジュールと、
第１受信モジュールに接続され、第１受信モジュールによって受信された進化型基地局構成更新失敗メッセージにおける待ち時間情報要素によって指定された時間の長さを蓄積する第１計数モジュールと、
時間の閾値を設定する第１閾値設定モジュールと、
第１計数モジュールと第１閾値設定モジュールに接続され、受信した進化型基地局構成更新失敗メッセージにおける待ち時間情報要素によって指定された時間の長さの蓄積値が、第１閾値設定モジュールによって設定された時間の閾値を超えたかどうかを比較する第１比較モジュールと、
第１比較モジュールに接続され、第１比較モジュールが、受信した進化型基地局構成更新失敗メッセージにおける待ち時間情報要素によって指定された時間の長さの蓄積値が第１閾値設定モジュールによって設定された時間の閾値を超えたと判断した場合に、第１送信モジュールに進化型基地局構成更新メッセージの送信を中止することを通知する第１通知モジュールとを含む。
【００８１】
この装置は、
第１受信モジュールに接続され、第１受信モジュールによって受信された、移動管理エンティティ又は隣接する進化型基地局によって送信された待ち時間情報要素によって指定された時間の長さにおいて構成情報が更新されたかどうかを判断する第１判断モジュールと、
第１判断モジュールに接続され、第１判断モジュールが前記構成情報が更新されたと判断した場合に、第１計数モジュールの初期値をリセットする第１リセットモジュールとを含む。
【００８２】
以下、例を挙げて前記第６の実施例を詳細に説明するが、この例は本発明の保護範囲を制限するものではない。
【００８３】
第１閾値設定モジュールは、時間の閾値ｋ＝４５ｍｓを設定し、第１計数モジュールは、その初期値ｎ＝０ｍｓを設定する。
【００８４】
第１送信モジュールは、情報が構成された後に移動管理エンティティ又は隣接する進化型基地局にＥＮＢ  ＣＯＮＦＩＧＵＲＡＴＩＯＮ  ＵＰＤＡＴＥメッセージを送信して、応答を待つ。
【００８５】
第１受信モジュールは、移動管理エンティティ又は隣接する進化型基地局によって送信された、Ｔｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信する。
【００８６】
第１計数モジュールは、第１受信モジュールがＴｉｍｅ  Ｔｏ  Ｗａｉｔ  ＩＥを含むＥＮＢ  ＣＯＮＦＩＧＵＲＡＴＩＯＮ  ＵＰＤＡＴＥ  ＦＡＩＬＵＲＥメッセージを受信した後に初期値ｎにＴｉｍｅ  Ｔｏ  Ｗａｉｔ  ＩＥによって指定された時間の長さをプラスする。
【００８７】
第１比較モジュールは、受信したＥＮＢ  ＣＯＮＦＩＧＵＲＡＴＩＯＮ  ＵＰＤＡＴＥ  ＦＡＩＬＵＲＥメッセージにおける待ち時間情報要素によって指定された時間の長さの蓄積値が、時間の閾値ｋ＝４５ｍｓを超えたかどうかを比較し、超えた場合に、第１通知モジュールは、第１送信モジュールにＥＮＢ  ＣＯＮＦＩＧＵＲＡＴＩＯＮ  ＵＰＤＡＴＥメッセージの送信を中止することを通知してフローを終了する。一方、超えていない場合に、第１受信モジュールは、移動管理エンティティ又は隣接する進化型基地局の応答を引き続き受信し、受信した応答が依然としてＥＮＢ  ＣＯＮＦＩＧＵＲＡＴＩＯＮ  ＵＰＤＡＴＥ  ＦＡＩＬＵＲＥメッセージである場合、第１計数モジュールは、ｎにＴｉｍｅ  Ｔｏ  Ｗａｉｔ  ＩＥによって指定された時間の長さを蓄積する動作を引き続き行い、第１比較モジュールによって、ｎとｋを比較し、次いで、比較結果に応じて対応する動作を行う。
【００８８】
第１判断モジュールは、第１受信モジュールが受信したＴｉｍｅ  Ｔｏ  Ｗａｉｔ  ＩＥによって指定された時間の長さにおいて、当該装置の構成情報が変わったかどうかを判断し、当該装置の構成情報が変わった場合、第１リセットモジュールは、第１計数モジュールの値をｎ＝０にリセットする。
【００８９】
図６に示すように、本発明の第７の実施例は、構成更新失敗の処理装置を提供する。
この処理装置は、
第２受信モジュールに接続され、構成情報が更新された後に進化型基地局に移動管理エンティティ構成更新メッセージを送信する第２送信モジュールと、
進化型基地局によって送信された、待ち時間情報要素を含む移動管理エンティティ構成更新失敗メッセージを受信する前記第２受信モジュールと、
第２受信モジュールに接続され、第２受信モジュールによって受信された移動管理エンティティ構成更新失敗メッセージの回数を算出する第２計数モジュールと、
移動管理エンティティ構成更新失敗メッセージの受信回数の閾値を設定する第２閾値設定モジュールと、
第２閾値設定モジュールと第２計数モジュールに接続され、第２計数モジュールによって算出された移動管理エンティティ構成更新失敗メッセージの受信回数が、第２閾値設定モジュールによって設定された回数の閾値を超えたかどうかを比較する第２比較モジュールと、
第２比較モジュールに接続され、第２比較モジュールが、第２計数モジュールによって算出された移動管理エンティティ構成更新失敗メッセージの受信回数が第２閾値設定モジュールによって設定された回数の閾値を超えたと判断した場合に、第２送信モジュールに移動管理エンティティ構成更新メッセージの送信を中止することを通知する第２通知モジュールとを含む。
【００９０】
この装置は、
第２受信モジュールに接続され、第２受信モジュールによって受信された進化型基地局によって送信された待ち時間情報要素によって指定された待ち時間内において構成情報が更新されたかどうかを判断する第２判断モジュールと、
第２判断モジュールに接続され、第２判断モジュールが前記構成情報が更新されたと判断した場合に、第２計数モジュールの初期値をリセットする第２リセットモジュールとを含む。
【００９１】
構成更新失敗の処理装置は移動管理エンティティであってもよい。
【００９２】
以下、例を挙げて前記第７の実施例を詳細に説明するが、この例は本発明の保護範囲を制限するものではない。
【００９３】
第２閾値設定モジュールは、移動管理エンティティ構成更新失敗メッセージの受信回数の閾値ｔ＝４を設定し、第２計数モジュールは、その初期値ｃｏｕｎｔｅｒ＝０を設定する。
【００９４】
第２送信モジュールは、情報が構成された後に進化型基地局にＭＭＥ  ＣＯＮＦＩＧＵＲＡＴＩＯＮ  ＵＰＤＡＴＥメッセージを送信して、応答を待つ。
【００９５】
第２受信モジュールは、進化型基地局によって送信された、Ｔｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信する。
【００９６】
第２計数モジュールは、第２受信モジュールがＴｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信した後に初期値ｃｏｕｎｔｅｒに１をプラスする。
【００９７】
第２比較モジュールは、第２計数モジュールによって算出されたＭＭＥ  ＣＯＮＦＩＧＵＲＡＴＩＯＮ  ＵＰＤＡＴＥ  ＦＡＩＬＵＲＥメッセージの受信回数ｃｏｕｎｔｅｒが、閾値ｔ＝４を超えたかどうかを比較し、超えた場合に、第２通知モジュールは、第２送信モジュールにＭＭＥ  ＣＯＮＦＩＧＵＲＡＴＩＯＮ  ＵＰＤＡＴＥメッセージの送信を中止することを通知してフローを終了する。一方、超えていない場合に、第２受信モジュールは、進化型基地局の応答を引き続き受信し、受信した応答が依然としてＭＭＥ  ＣＯＮＦＩＧＵＲＡＴＩＯＮ  ＵＰＤＡＴＥ  ＦＡＩＬＵＲＥメッセージである場合、第２計数モジュールは、ｃｏｕｎｔｅｒに１を蓄積する動作を引き続き行い、第２比較モジュールによって、ｃｏｕｎｔｅｒとｔを比較し、次いで、比較結果に応じて対応する動作を行う。
【００９８】
第２判断モジュールは、第２受信モジュールが受信したＴｉｍｅ  Ｔｏ  Ｗａｉｔ  ＩＥによって指定された時間の長さにおいて、当該装置の構成情報が変わったかどうかを判断し、当該装置の構成情報が変わった場合、第２リセットモジュールは、第２計数モジュールの値をｃｏｕｎｔｅｒ＝０にリセットする。
【００９９】
本発明の第７の実施例によって提供される構成更新失敗の処理装置とは異なり、本発明の第８の実施例によって提供される構成更新失敗の処理装置は、Ｔｉｍｅ  Ｔｏ  Ｗａｉｔ  ＩＥによって指定された時間の長さを蓄積し、時間の蓄積値が時間の閾値を超えた場合に、ＥＮＢ  ＣＯＮＦＩＧＵＲＡＴＩＯＮ  ＵＰＤＡＴＥメッセージの送信を中止する。
【０１００】
図６に示すように、本発明の第８の実施例は、構成更新失敗の処理装置を提供する。
この処理装置は、
第２受信モジュールに接続され、構成情報が更新された後に進化型基地局に移動管理エンティティ構成更新メッセージを送信する第２送信モジュールと、
進化型基地局によって送信された、待ち時間情報要素を含む移動管理エンティティ構成更新失敗メッセージを受信する前記第２受信モジュールと、
第２受信モジュールに接続され、第２受信モジュールによって受信された移動管理エンティティ構成更新失敗メッセージにおける待ち時間情報要素によって指定された時間の長さを蓄積する第２計数モジュールと、
時間の閾値を設定する第２閾値設定モジュールと、
第２計数モジュールと第２閾値設定モジュールに接続され、第２計数モジュールによって算出された移動管理エンティティ構成更新失敗メッセージにおける待ち時間情報要素によって指定された時間の長さの蓄積値が、第２閾値設定モジュールによって設定された時間の閾値を超えたかどうかを比較する第２比較モジュールと、
第２比較モジュールに接続され、第２比較モジュールが、第２計数モジュールによって算出された移動管理エンティティ構成更新失敗メッセージにおける待ち時間情報要素によって指定された時間の長さの蓄積値が第２閾値設定モジュールによって設定された時間の閾値を超えたと判断した場合に、第２送信モジュールに移動管理エンティティ構成更新メッセージの送信を中止することを通知する第２通知モジュールとを含む。
【０１０１】
この装置は、
第２受信モジュールに接続され、第２受信モジュールによって受信された進化型基地局によって送信された待ち時間情報要素によって指定された時間の長さにおいて前記構成情報が更新されたかどうかを判断する第２判断モジュールと、
第２判断モジュールに接続され、第２判断モジュールが前記構成情報が更新されたと判断した場合に、第２計数モジュールの初期値をリセットする第２リセットモジュールとを含む。
【０１０２】
以下、例を挙げて前記第８の実施例を詳細に説明するが、この例は本発明の保護範囲を制限するものではない。
【０１０３】
第２閾値設定モジュールは、時間の閾値ｋ＝４５ｍｓを設定し、第２計数モジュールは、その初期値ｃｏｕｎｔｅｒ＝０を設定する。
【０１０４】
第２送信モジュールは、情報が構成された後に進化型基地局にＭＭＥ  ＣＯＮＦＩＧＵＲＡＴＩＯＮ  ＵＰＤＡＴＥメッセージを送信して、応答を待つ。
【０１０５】
第２受信モジュールは、進化型基地局によって送信された、Ｔｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信する。
【０１０６】
第２計数モジュールは、第２受信モジュールがＴｉｍｅ  Ｔｏ  Ｗａｉｔ  ＩＥを含むＭＭＥ  ＣＯＮＦＩＧＵＲＡＴＩＯＮ  ＵＰＤＡＴＥ  ＦＡＩＬＵＲＥメッセージを受信した後に初期値ｃｏｕｎｔｅｒにＴｉｍｅ  Ｔｏ  Ｗａｉｔ  ＩＥによって指定された時間の長さをプラスする。
【０１０７】
第２比較モジュールは、第２計数モジュールによって算出されたＭＭＥ  ＣＯＮＦＩＧＵＲＡＴＩＯＮ  ＵＰＤＡＴＥ  ＦＡＩＬＵＲＥメッセージの受信時間の長さｃｏｕｎｔｅｒが、閾値ｔ＝４５ｍｓを超えたかどうかを比較し、超えた場合に、第２通知モジュールは、第２送信モジュールにＭＭＥ  ＣＯＮＦＩＧＵＲＡＴＩＯＮ  ＵＰＤＡＴＥメッセージの送信を中止することを通知してフローを終了する。一方、超えていない場合に、第２受信モジュールは、進化型基地局の応答を引き続き受信し、受信した応答が依然としてＭＭＥ  ＣＯＮＦＩＧＵＲＡＴＩＯＮ  ＵＰＤＡＴＥ  ＦＡＩＬＵＲＥメッセージである場合、第２計数モジュールは、ｃｏｕｎｔｅｒにＴｉｍｅ  Ｔｏ  Ｗａｉｔ  ＩＥによって指定された時間の長さを蓄積する動作を引き続き行い、第２比較モジュールによって、ｃｏｕｎｔｅｒとｔを比較し、次いで、比較結果に応じて対応する動作を行う。
【０１０８】
第２判断モジュールは、第２受信モジュールが受信したＴｉｍｅ  Ｔｏ  Ｗａｉｔ  ＩＥによって指定された時間の長さにおいて、当該装置の構成情報が変わったかどうかを判断し、当該装置の構成情報が変わった場合、第２リセットモジュールは、第２計数モジュールの値をｃｏｕｎｔｅｒ＝０にリセットする。
【０１０９】
図７に示すように、本発明の第９の実施例は、構成更新失敗の処理システムを提供する。
この処理システムは、
進化型基地局構成更新失敗メッセージの受信回数の閾値を設定することに用いる設定モジュールと、
第１構成更新失敗の処理装置と、第１構成更新失敗の処理装置に接続される第２構成更新失敗の処理装置とを含む。
【０１１０】
第１構成更新失敗の処理装置は、構成情報が更新された後に第２構成更新失敗の処理装置に進化型基地局構成更新メッセージを送信し、第２構成更新失敗の処理装置によって送信された、待ち時間情報要素を含む進化型基地局構成更新失敗メッセージを受信し、進化型基地局構成更新失敗メッセージの受信回数を算出し、算出した進化型基地局構成更新失敗メッセージの受信回数が設定した進化型基地局構成更新失敗メッセージの受信回数の閾値を超えたかどうかを比較し、超えた場合、進化型基地局構成更新メッセージの送信を中止することに用いられる。
【０１１１】
第２構成更新失敗の処理装置は、第１構成更新失敗の処理装置によって送信された進化型基地局構成更新メッセージを受信した後に、更新失敗の場合に、第１構成更新失敗の処理装置に待ち時間情報要素を含む進化型基地局構成更新失敗メッセージを送信することに用いられる。
【０１１２】
図７に示すように、本発明の第１０の実施例は、構成更新失敗の処理システムを提供する。
この処理システムは、
進化型基地局構成更新失敗メッセージの受信回数の閾値を設定することに用いる設定モジュールと、
第１構成更新失敗の処理装置と、第１構成更新失敗の処理装置に接続される第２構成更新失敗の処理装置とを含む。
【０１１３】
第１構成更新失敗の処理装置は、構成情報が更新された後に、第２構成更新失敗の処理装置に移動管理エンティティ構成更新メッセージを送信し、第２構成更新失敗の処理装置によって送信された、待ち時間情報要素を含む移動管理エンティティ構成更新失敗メッセージを受信し、移動管理エンティティ構成更新失敗メッセージの受信回数を算出し、算出した移動管理エンティティ構成更新失敗メッセージの受信回数が設定した移動管理エンティティ構成更新失敗メッセージの受信回数の閾値を超えたかどうかを比較し、超えた場合、移動管理エンティティ構成更新メッセージの送信を中止することに用いられる。
【０１１４】
第２構成更新失敗の処理装置は、移動管理エンティティ構成更新メッセージを受信し、更新失敗の場合に、第１構成更新失敗の処理装置に待ち時間情報要素を含む移動管理エンティティ構成更新失敗メッセージを送信することに用いられる。
【０１１５】
図７に示すように、本発明の第１１の実施例は、構成更新失敗の処理システムを提供する。
この処理システムは、
時間の閾値を設定することに用いられる設定モジュールと、
第１構成更新失敗の処理装置と、第１構成更新失敗の処理装置に接続される第２構成更新失敗の処理装置とを含む。
【０１１６】
第１構成更新失敗の処理装置は、構成情報が更新された後に第２構成更新失敗の処理装置に進化型基地局構成更新メッセージを送信し、第２構成更新失敗の処理装置によって送信された、待ち時間情報要素を含む進化型基地局構成更新失敗メッセージを受信し、受信した進化型基地局構成更新失敗メッセージにおける待ち時間情報要素によって指定された時間の長さを蓄積し、待ち時間情報要素によって指定された時間の長さの蓄積値が設定した時間の閾値を超えたかどうかを比較し、超えた場合、前記進化型基地局構成更新メッセージの送信を中止することに用いられる。
【０１１７】
第２構成更新失敗の処理装置は、前記第１構成更新失敗の処理装置によって送信された進化型基地局成更新メッセージを受信した後に、更新失敗の場合に、第１構成更新失敗の処理装置に待ち情報要素を持つ進化型基地局構成更新失敗メッセージを送信することに用いられる。
【０１１８】
図７に示すように、本発明の第１２の実施例は、構成更新失敗の処理システムを提供する。
この処理システムは、
時間の閾値を設定することに用いられる設定モジュールと、
第１構成更新失敗の処理装置と、第１構成更新失敗の処理装置に接続される第２構成更新失敗の処理装置とを含む。
【０１１９】
第１構成更新失敗の処理装置は、構成情報が更新された後に、第２構成更新失敗の処理装置に移動管理エンティティ構成更新メッセージを送信し、第２構成更新失敗の処理装置によって送信された、待ち時間情報要素を含む移動管理エンティティ構成更新失敗メッセージを受信し、受信した移動管理エンティティ構成更新失敗メッセージにおける待ち時間情報要素によって指定された時間の長さを蓄積し、待ち時間情報要素によって指定された時間の長さの蓄積値が設定した時間の閾値を超えたかどうかを比較し、超えた場合、移動管理エンティティ構成更新メッセージの送信を中止することに用いられる。
【０１２０】
第２構成更新失敗の処理装置は、移動管理エンティティ構成更新メッセージを受信し、更新失敗の場合に、第１構成更新失敗の処理装置に待ち時間情報要素を含む移動管理エンティティ構成更新失敗メッセージを送信することに用いられる。
【０１２１】
本発明は、回数の閾値又は時間の閾値を設定することで、受信された待ち時間情報要素を含む構成更新失敗メッセージの回数の蓄積値又は時間の蓄積値が回数の閾値又は時間の閾値を超えた場合に、構成更新メッセージの送信を中止する。これにより、本発明は、相手側によって送信された、待ち時間情報要素を含む構成更新失敗メッセージを常時受信する場合に、その間に、送信側の構成が変わっていないのにも関わらず、同一の更新過程が繰り返して行なわれてしまう問題を解決することができ、これにより、システム負荷を低減してシステムの頑強性と安定性を向上させることができる。
【図１】
0005409911.tif 000002
【図２】
0005409911.tif 000003
【図３】
0005409911.tif 000004
【図４】
0005409911.tif 000005
【図５】
0005409911.tif 000006
【図６】
0005409911.tif 000007
【図７】
0005409911.tif 000008